(57)【要約】      （修正有）【課題】新規有用なカプセルユニット及びカプセルユニットの制御システムを提供する。【解決手段】カプセルユニット１において、個室空間を形成する本体と、個室空間を照明する照明部１１及び時計部１７とを含む機器を操作するためのルーム操作部１４と、ルーム操作部１４に対する操作により機器を制御するルーム制御部１５とを有する。利用者が、ルーム操作部１４に対する操作によってアラームを発動させる時刻を設定を行うと、ルーム制御部１５は、時計部１７の時刻が設定された時刻になったときに、照明部１１の照明状態を、アラーム用の所定の照明状態に変更する。【選択図】図２
2020091882.tif 000002
【特許請求の範囲】
【請求項１】
個室空間を形成する本体と、
前記個室空間を照明する照明部及び時計部を含む機器と、
前記機器を操作するためのルーム操作部と、
前記機器を制御するルーム制御部と、
を備え、
前記ルーム操作部に対する操作によって、アラームを発動させる時刻を設定可能に構成されており、
前記ルーム制御部は、前記時計部の時刻が設定された時刻になったときに、前記照明部の照明状態を、アラーム用の所定の照明状態に変更する、カプセルユニット。
【請求項２】
請求項１に記載のカプセルユニットであって、
振動装置を更に備え、
前記ルール制御部は、前記時計部の時刻が設定された時刻になったときに、前記振動装置を振動させてアラームを発動させる、カプセルユニット。
【請求項３】
請求項１又は２に記載の複数のカプセルユニットと、
管理コンピュータと、
を備え、
前記管理コンピュータは、
前記カプセルユニットの前記ルーム制御部と通信可能に構成され、前記ルーム制御部に対して前記機器の制御を指示する中央制御部を有し、
前記中央制御部は、所定のタイミングで、前記時計部の時刻を修正するための時刻合わせデータを全ての前記ルーム制御部に送信する、カプセルユニットの制御システム。
【請求項４】
請求項１又は２に記載のカプセルユニットと、
前記カプセルユニットの前記ルーム制御部と通信可能な管理コンピュータと、
を備え、
前記カプセルユニットの前記機器は、前記管理コンピュータ及び前記ルーム制御部を介して遠隔操作可能に構成されている、カプセルユニットの制御システム。
【請求項５】
請求項４に記載のカプセルユニットの制御システムであって、
前記カプセルユニットは、テレビ及び換気扇のうちの少なくとも１つを前記機器として更に備え、
前記テレビ及び換気扇のうちの少なくとも１つは、前記管理コンピュータ及び前記ルーム制御部を介して遠隔操作可能に構成されている、カプセルユニットの制御システム。
【請求項６】
請求項１又は２に記載のカプセルユニットと、
前記カプセルユニットの前記ルーム制御部と通信可能な管理コンピュータと、
を備え、
前記カプセルユニットには、前記個室空間に人がいるか否かを検出可能なセンサが設けられており、
前記管理コンピュータは、前記センサの検出結果に基づいて、前記カプセルユニットの在室、不在を管理可能に構成されている、カプセルユニットの制御システム。
【請求項７】
請求項１又は２に記載のカプセルユニットと、
前記カプセルユニットの前記ルーム制御部と通信可能な管理コンピュータと、
を備え、
前記管理コンピュータは、前記カプセルユニットの状態を管理し、
前記カプセルユニットは、防犯スイッチと、カーテンの開閉動作を検知する検知部と、を更に備え、
前記防犯スイッチが押されて防犯モードが有効になっており且つ前記カーテンが開けられたことを前記検知部が検知した場合に、前記カプセルユニットが前記管理コンピュータに通知し、前記管理コンピュータにおいてカーテンが開けられたことが記憶される、カプセルユニットの制御システム。
【請求項８】
請求項１又は２に記載のカプセルユニットと、
前記カプセルユニットの前記ルーム制御部と通信可能な管理コンピュータと、
を備え、
前記管理コンピュータは、前記カプセルユニットの状態を管理し、
前記カプセルユニットは、カーテンの開閉動作を検知する検知部と、前記カーテンよりも前記個室空間の内側に設けられた近接センサと、を更に備え、
前記近接センサが検出していない状態で前記カーテンの開閉が前記検知部により検出された場合に、前記カプセルユニットが前記管理コンピュータに通知し、前記管理コンピュータにおいてカーテンが開けられたことが記憶され、
前記近接センサが検出している状態で前記カーテンの開閉が前記検知部により検出された場合に、前記カプセルユニットが前記管理コンピュータに通知しない、カプセルユニットの制御システム。
【請求項９】
請求項１又は２に記載のカプセルユニットであって、
前記ルーム制御部は、前記カプセルユニットの状態を管理するための管理コンピュータと通信可能に構成されており、前記ルーム操作部に対する操作によって、前記管理コンピュータに対して非常状態へ状態変更を通知する、カプセルユニット。
【請求項１０】
請求項９に記載の複数のカプセルユニットと、
管理コンピュータと、
を備え、
前記管理コンピュータは、
全てのカプセルユニットについて、状態を管理する状態管理部と、
前記カプセルユニットの前記ルーム制御部と通信可能に構成され、前記ルーム制御部に対して前記機器の制御を指示する中央制御部と、
外部に報知可能な報知部と、
を有し、
前記カプセルユニットの前記ルーム操作部に対する操作によって、非常状態に状態変更可能に構成されており、
前記中央制御部は、非常状態に状態が変更されたことに起因して、前記報知部を通じて非常状態であることを外部に報知する、カプセルユニットの制御システム。
【発明の詳細な説明】
【技術分野】
【０００１】
本開示は、個室空間を提供するカプセルユニット及びカプセルユニットの制御システムに関する。
【背景技術】
【０００２】
一般的に、簡易宿泊用のカプセルユニットは、例えば特許文献１に示すように、６面の壁面部のうち一面に出入口を設けた横長の略直方体形状をなしており、複数のカプセルユニットが上下二段で複数個通路に面して配置される。
【先行技術文献】
【特許文献】
【０００３】
【特許文献１】特開２０１３−７６２３５号公報
【発明の概要】
【発明が解決しようとする課題】
【０００４】
新規有用なカプセルユニット及びカプセルユニットの制御システムが望まれる。
【０００５】
本開示は、新規有用なカプセルユニット及びカプセルユニットの制御システムを提供することである。
【課題を解決するための手段】
【０００６】
本開示は、上記目的を達成するために、次のような手段を講じている。
【０００７】
本開示のカプセルユニットは、個室空間を形成する本体と、前記個室空間を照明する照明部及び時計部を含む機器と、前記機器を操作するためのルーム操作部と、前記機器を制御するルーム制御部と、を備え、前記ルーム操作部に対する操作によって、アラームを発動させる時刻を設定可能に構成されており、前記ルーム制御部は、前記時計部の時刻が設定された時刻になったときに、前記照明部の照明状態を、アラーム用の所定の照明状態に変更する。
【０００８】
この構成によれば、音を使用せず、照明状態によって報知するので、他のカプセルユニット１の利用者に与える影響を低減又は無くすことが可能となる。
【図面の簡単な説明】
【０００９】
【図１】本開示のカプセルユニットの制御システムを示す模式斜視図。
【図２】カプセルユニットの制御システムを示すブロック図。
【図３】カプセルユニットのコントロールパネルを示す図。
【図４】本システムの動作を示す図。
【図５】本システムの動作を示す図。
【発明を実施するための形態】
【００１０】
以下、本開示のカプセルユニットの制御システムについて、図面を参照して説明する。
【００１１】
図１に示すように、カプセルユニット１は、通路ＲＯに面して上下二段で複数配置されている。図１及び図２に示すように、制御システムは、複数のカプセルユニット１と、管理コンピュータ３と、を有する。
【００１２】
カプセルユニット１は、個室空間ＳＰを形成する本体１２と、個室空間ＳＰを照明する照明部１１を含む機器と、機器を操作するためのルーム操作部１４と、機器を制御するルーム制御部１５と、を有する。本体１２は、６つの壁面ユニットが組み立てられ、横長直方体状の個室空間ＳＰを形成している。本実施形態では、奥面にコントロールパネル１０が設けられているが、奥面に限定されず、任意の壁面に設置可能である。
【００１３】
コントロールパネル１０は、図２及び図３に示すように、ルーム操作部１４と、ルーム制御部１５と、ディスプレイ１６と、時計部１７と、を有する。照明部１１として、直接照明としてのルーム照明１１ａと、間接照明としてのベッド照明１１ｂとが設けられている。照明部１１以外の機器としては、テレビ１３ａ、換気扇１３ｂを設けてもよい。
【００１４】
図３に示すように、ルーム操作部１４は、アラーム機能をオンオフするためのアラームボタン１４ａと、アラームを発動させる時刻を設定するためのボタン１４ｂと、ルーム照明１１ａの照明状態（点灯状態、消灯状態）を変更するためのボタン１４ｃと、個室空間ＳＰの空気を外部に排出する換気扇１３ｂを操作するためのボタン１４ｄと、ベッド照明１１ｂの照明状態（点灯状態、消灯状態、調光）を変更するためのボタン１４ｅ、１４ｆと、非常ボタン１４ｇと、を有する。本実施形態では、図３に示すようにルーム操作部１４を構成しているが、適宜変更可能である。
【００１５】
ルーム制御部１５は、カプセルユニット１に設けられる各機器（照明部１１、テレビ１３ａ、換気扇１３ｂ、ディスプレイ１６、時計部１７）を制御する。
【００１６】
管理コンピュータ３は、状態管理部３０と、状態操作部３１と、中央制御部３２と、ディスプレイ３３と、を有する。状態管理部３０は、全てのカプセルユニットについて、「入室中」、「掃除待ち」、「掃除中」及び「空室」を含む状態を管理する。状態操作部３１は、状態管理部３０が管理する各カプセルユニットの状態を変更する操作を受け付ける。具体的には、状態操作部３１は、管理コンピュータ３に接続されたキーボードやマウス、タッチパッドなどの操作部が挙げられる。管理コンピュータ３以外のコンピュータから遠隔で操作可能に構成されている場合は、遠隔操作を実現する各種プログラム、インターフェイスも状態操作部３１に含まれる。状態管理部３０は、カプセルユニットを識別するための識別子（部屋番号等）と状態データとを関連づけて記憶しておき、状態操作部３１への操作に応じて、状態データを変更する。ディスプレイ３３は、報知手段の一種であり、例えば、各カプセルユニット１の状態を、ユニットの配置地図とともに表示する。
【００１７】
中央制御部３２は、カプセルユニット１のルーム制御部１５と通信可能に構成され、ルーム制御部１５に対して機器の制御を指示可能に構成されている。図２に示すように、カプセルユニット１のコントロールパネル１０と、管理コンピュータ３とは有線で接続されており、両者の間に中央制御基板２が配置されている。中央制御基板２と管理コンピュータ３との間はＲＳ２３２Ｃ通信が行われており、中央制御基板２とコントロールパネル１０との間はＲＳ４８５通信が行われている。そのため、中央制御基板２は、プロトコル変換を行うゲートウェイとしての機能を有する。本実施形態では、中央制御基板２は、ＲＳ４８５通信として４チャネル有するが、任意に変更可能である。１チャネルで複数のコントロールパネル１０が直列接続されており、各コントロールパネル１０は通信経路を共有している。各々のコントロールパネル１０は、部屋番号に対応する識別子が予め設定されており、通信においては識別子を用いて通信相手を識別する。勿論、本実施形態では、コントロールパネル１０と管理コンピュータ３との通信にシリアル通信が用いられているが、これに限定されない。管理コンピュータ３とコントロールパネル１０とが互いに通信可能であれば、有線でも無線でもよい。プロトコルとしても、ＩＰプロトコル、ＷｉＦｉ（登録商標）などを利用してネットワークを構成していてもよい。
【００１８】
次に、制御システムの動作の一例を説明する。
【００１９】
図４に示す例は、１０１号室のカプセルユニットの利用者がチェックアウトするときの動作である。
【００２０】
ステップＳＴ１００において、管理コンピュータ３の状態操作部３１に対して、チェックアウト操作、すなわち１０１号室のカプセルユニットの状態を入室中から掃除待ちに状態変更する操作がなされる。すると、次のステップＳＴ１０１において、状態管理部３０は、入室中から掃除待ちに状態を変更して記憶する。次のステップＳＴ１０２において、中央制御部３２は、対応するカプセルユニット１（１０１号室）のルーム制御部１５に対し、照明部１１及びディスプレイ１６を「掃除待ち」に対応する駆動状態にする指示を送信する。次のステップＳＴ１０３において、ルーム制御部１５は、照明部１１の照明状態を、掃除待ちであることを示す所定の照明状態に変更すると共に、ディスプレイ１６を「掃除待ち」に対応する駆動状態（例えばＯＵＴと表示）に変更する。すなわち、状態操作部３１への操作によって入室中から掃除待ちに状態がされたことに起因して、対応するカプセルユニット１の照明部１１の照明状態を、掃除待ちであることを表す所定の照明状態に変更するように構成されている。
【００２１】
本実施形態において、掃除待ちであることを示す所定の照明状態（第１の照明状態）は、点滅状態に設定されており、ルーム照明１１ａ及びベッド照明１１ｂが共に１秒ごとに点滅状態になる。勿論、点滅状態に限定されず、発色を所定の色に変更することが挙げられる。第１の照明状態は、点灯、消灯以外であり且つ「入室中」状態で設定できる照明状態と異なるように設定されていることが、見分けやすいので好ましい。
【００２２】
「清掃待ち」状態において、カプセルユニット１のルーム操作部１４（アラームボタン１４ａ）が操作されると（ステップＳＴ１０４）、次のステップＳＴ１０５において、ルーム制御部１５は、管理コンピュータ３に対し、清掃中へ状態変更する操作がなされた旨を通知する。すると、次のステップＳＴ１０６において、状態管理部３０は、清掃待ちから掃除中に状態を変更して記憶する。すなわち、カプセルユニット１のルーム操作部１４（アラームボタン１４ａ）に対する操作によって、掃除待ちから掃除中に状態を変更可能に構成されている。勿論、アラームボタン１４ａに限定されない。
一方、カプセルユニット１では、アラームボタン１４ａの操作がなされることに起因して、ルーム制御部１５は、照明部１１の照明状態を点灯状態に変更すると共に、ディスプレイ１６を「掃除中」に対応する駆動状態（例えばＣＬＥと表示）に変更する（ステップＳＴ１０７）。
【００２３】
「清掃中」状態において、カプセルユニット１のルーム操作部１４（アラームボタン１４ａ）が操作されると（ステップＳＴ１０８）、次のステップＳＴ１０９において、ルーム制御部１５は、管理コンピュータ３に対し、空室へ状態変更する操作がなされた旨を通知する。すると、次のステップＳ１１０において、清掃中から空室に状態を変更して記憶する。すなわち、カプセルユニット１のルーム操作部１４（アラームボタン１４ａ）に対する操作によって、掃除中から空室に状態を変更可能に構成されている。勿論、アラームボタン１４ａに限定されない。
一方、カプセルユニット１では、アラームボタン１４ａの操作がなされることに起因して、ルーム制御部１５は、照明部１１の照明状態を、空室に対応する所定の照明状態（第２の照明状態）に変更すると共に、ディスプレイ１６を「空室」に対応する駆動状態（例えば時計表示）に変更する（ステップＳＴ１１１）。
【００２４】
本実施形態において、空室に対応する所定の照明状態（第２の照明状態）は、ルーム照明１１ａが消灯状態であり、ベッド照明１１ｂが最小で点灯状態に設定されている。勿論、これに限定されず、種々変更可能である。第２の照明状態は、省エネルギーを図るために、全点灯状態以外であることが好ましく、より好ましくは、消灯状態又は最小点灯状態が挙げられる。
【００２５】
図５に示す例は、カプセルユニットの利用者が非常通報をするときの動作である。
【００２６】
ステップＳＴ２００において、カプセルユニット１のルーム操作部１４（非常ボタン１４ｇ）が操作されると、次のステップＳＴ２０１において、ルーム制御部１５は、管理コンピュータ３に対し、非常状態へ状態変更する操作がなされた旨を通知する。すると、次のステップＳＴ２０２において、状態管理部３０は、非常状態へ状態を変更して記憶する。すなわち、カプセルユニット１のルーム操作部１４（非常ボタン１４ｇ）に対する操作によって、非常状態に状態変更可能に構成されている。
一方、カプセルユニット１では、非常ボタン１４ｇの操作がなされることに起因して、ルーム制御部１５は、ディスプレイ１６を「非常状態」に対応する駆動状態（例えばSOSと表示）に変更する（ステップＳＴ２０４）。
【００２７】
次のステップＳＴ２０３において、中央制御部３２は、報知部としてのディスプレイ３３に「非常通報」を表示して、外部に報知する。本実施形態では、報知部をディスプレイとしているが、これに限定されない。例えば、報知部を、音を出力するスピーカにしてもよく、メールを送信するようにしてもよい。
【００２８】
「非常状態」において、管理コンピュータ３に非常解除操作がなされると（ステップＳＴ２０５）、次のステップＳＴ２０６において、状態管理部３０は、非常状態から入室中へ状態を変更して記憶する。次のステップＳＴ２０７において、中央制御部３２は、カプセルユニット１のルーム制御部１５に非常解除されたことを通知する。すると、ルーム制御部１５は、ディスプレイ１６を時刻表示に戻す（ステップＳＴ２０８）。
【００２９】
他の動作として、アラーム機能がある。図２及び図３に示すように、カプセルユニット１には、機器として時計部１７が設けられている。ルーム操作部１４（アラームボタン１４ａ及びボタン１４ｂ）に対する操作によって、アラームを発動させる時刻が設定可能に構成されている。図３の例では、アラーム発動時刻が８時３０分に設定されている。ルーム制御部１５は、時計部１７の時刻（現在時刻）が設定されたアラーム時刻になったときに、照明部１１の照明状態を、アラーム用の所定の照明状態（第３の照明状態）に変更する。第３の照明状態としては、照明部１１の点灯、点滅や色変化をさせることが挙げられる。本実施形態では、照明部１１の照明状態を変更しているが、これと同時に又はこれに変えて、振動装置を振動させてアラームを発動してもよい。
【００３０】
他の動作として、時刻調整機能がある。図２に示すように、管理コンピュータ３の中央制御部３２は、所定のタイミング（毎日所定時刻）で、時計部１７の時刻を修正するための時刻合わせデータを全てのルーム制御部１５に送信するように構成されている。
【００３１】
以上のように、本実施形態のカプセルユニットの制御システムは、複数のカプセルユニット１と、管理コンピュータ３と、を備える。カプセルユニット１は、個室空間ＳＰを形成する本体１２と、個室空間ＳＰを照明する照明部１１を含む機器と、機器を操作するためのルーム操作部１４と、機器を制御するルーム制御部１５と、を有する。管理コンピュータ３は、全てのカプセルユニット１について、入室中、掃除待ち、掃除中及び空室を含む状態を管理する状態管理部３０と、状態を変更する操作を受け付ける状態操作部３１と、カプセルユニット１のルーム制御部１５と通信可能に構成され、ルーム制御部１５に対して機器の制御を指示する中央制御部３２と、を有する。状態操作部３１への操作によって入室中から掃除待ちに状態が変更されたことに起因して、対応するカプセルユニット１の照明部１１の照明状態を、掃除待ちであることを表す所定の照明状態に変更する。
【００３２】
この構成によれば、入室中から掃除待ちに状態変更されれば、対応するカプセルユニット１の照明部１１の照明状態が、掃除待ちであることを示す所定の照明状態になるので、一目で掃除すべきユニット１が分かり、メンテナンスの作業効率及び利便性を向上させることが可能となる。それでいて、カプセルユニット１に必ず存在する照明部１１の照明状態を報知手段として利用するので、例えばカプセルユニット１の通路側に別途に報知手段を設ける必要がなく、見栄えを損なわず、コストを低減することができる。また、音で報知すると他のカプセルユニット１の利用者に不快感を与えるおそれがあるものの、本発明では、照明状態によって報知するので、他のカプセルユニット１の利用者に与える影響を低減又は無くすことが可能となる。
【００３３】
本実施形態では、カプセルユニット１のルーム操作部１４（アラームボタン１４ａ）に対する操作によって、掃除待ちから掃除中に状態を変更可能に構成されており、清掃待ちから清掃中に状態を変更する操作に起因して、対応するカプセルユニット１の照明部１１の照明状態を点灯状態に変更する。
【００３４】
この構成によれば、清掃員が管理コンピュータ３を操作しなくても、清掃すべきカプセルユニット１のルーム操作部１４（アラームボタン１４ａ）を操作するだけで、状態変更できる。さらに、照明状態が清掃に適した点灯状態になるので、作業効率及び利便性を向上させることが可能となる。
【００３５】
本実施形態では、カプセルユニット１のルーム操作部１４（アラームボタン１４ａ）に対する操作によって、掃除中から空室に状態を変更可能に構成されており、状態操作部３１への操作によって掃除中から空室に状態が変更されたことに起因して、対応するカプセルユニット１の照明部１１の照明状態を、空室に対応する所定の照明状態に変更する。
【００３６】
この構成によれば、清掃員が管理コンピュータ３を操作しなくても、清掃すべきカプセルユニット１のルーム操作部１４（アラームボタン１４ａ）を操作するだけで、状態変更できる。さらに、照明状態が、空室に対応する所定の照明状態に変更されるので、照明が全点灯状態で付けっぱなしになるといったことを設定次第で防ぐことが可能となる。
【００３７】
本実施形態では、機器は、時計部１７を有し、中央制御部３２は、所定のタイミングで、時計部１７の時刻を修正するための時刻合わせデータを全てのルーム制御部１５に送信する。
【００３８】
この構成によれば、多数のカプセルユニット１の時刻を一括で修正でき、メンテナンスの作業効率を向上させることが可能となる。
【００３９】
本実施形態では、ルーム操作部１４（アラームボタン１４ａ、ボタン１４ｂ）に対する操作によって、アラームを発動させる時刻を設定可能に構成されており、ルーム制御部１５は、時計部１７の時刻が設定された時刻になったときに、照明部１１の照明状態を、アラーム用の所定の照明状態に変更する。
【００４０】
この構成によれば、音を使用せず、照明状態によって報知するので、他のカプセルユニット１の利用者に与える影響を低減又は無くすことが可能となる。
【００４１】
本実施形態では、カプセルユニット１のルーム操作部１４（非常ボタン１４ｇ）に対する操作によって、非常状態に状態変更可能に構成されており、管理コンピュータ３は、外部に報知可能な報知部（ディスプレイ３３）を有し、中央制御部３２は、非常状態に状態が変更されたことに起因して、報知部（ディスプレイ３３）を通じて非常状態であることを外部に報知する。
【００４２】
この構成によれば、非常通報を適切に実現することができる。
【００４３】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４４】
例えば、管理コンピュータ３からカプセルユニット１の機器を遠隔操作可能に構成してもよい。遠隔操作の対象としては、照明部１１、テレビ１３ａ、換気扇１３ｂ等が挙げられる。
【００４５】
例えば、ターミナル端末やタブレット端末と管理コンピュータ３とを通信可能に構成して、管理コンピュータ３の機能や表示内容を遠隔で閲覧及び操作可能に構成することが挙げられる。
【００４６】
例えば、コントロールパネル１０のルーム操作部１４を、タッチパネル液晶やタブレット端末に置き換えてもよい。その際に、表示される言語を切り替え可能にして多言語対応することが挙げられる。また、操作パネルを操作しやすくするために、タッチパネル液晶やタブレット端末をカプセルユニット１の本体１２に対して脱着式にすることが挙げられる。
【００４７】
例えば、カプセルユニット１に、ドップラーセンサーや赤外線センサ、感圧式のスイッチ装置等のセンサを設け、個室空間ＳＰに人がいるかどうかを検出可能に構成し、客（人）の在室、不在を管理コンピュータ３において管理（記憶）することが挙げられる。
【００４８】
例えば、カプセルユニット１に、ドップラーセンサーを設け、客（人）の健康状態を管理コンピュータ３において管理（記憶）することが挙げられる。
【００４９】
例えば、防犯のために、カプセルユニット１に防犯スイッチと、カーテンの開閉動作を検知する検知部とを設け、防犯スイッチが押されて防犯モードが有効になっているときにカーテンが開けられたときに、カーテンが外部から開けられたとして管理コンピュータ３に通知し、防犯面を向上させることが挙げられる。
【００５０】
例えば、防犯のために、上記防犯スイッチの代わりに、カーテンよりも内側に赤外線センサや通過センサなどの近接センサを設け、客がセンサで検出されずにカーテンの開閉が検出されたとき（外部からカーテンが開けられた場合）に、管理コンピュータ３に通知し、センサ検知された後でカーテンの開閉が検出されたときは、管理コンピュータ３に通知しないように構成することが挙げられる。
【００５１】
上記の各実施形態で採用している構造を他の任意の実施形態に採用することは可能である。各部の具体的な構成は、上述した実施形態のみに限定されるものではなく、本発明の趣旨を逸脱しない範囲で種々変形が可能である。
【符号の説明】
【００５２】
１…カプセルユニット
１１…照明部
１２…本体
１４…ルーム操作部
１５…ルーム制御部
１７…時計部
３…管理コンピュータ
３０…状態管理部
３１…状態操作部
３２…中央制御部
３３…ディスプレイ（報知部）
【図１】
2020091882.tif 000003
【図２】
2020091882.tif 000004
【図３】
2020091882.tif 000005
【図４】
2020091882.tif 000006
【図５】
2020091882.tif 000007